(57)【要約】【課題】１枚の光ディスクの再生専用領域に複数の著作権保護技術に対応した情報を記録することで、同じ光ディスクに異なる著作権保護技術に基づくコンテンツ記録フォーマットの情報を記録するする。【解決手段】光ディスクの記録装置では記録できない領域、例えば、光ディスクのバーストカッティング領域に、複数の著作権保護方式に関連する情報を格納することで、著作権保護機能を失わせることなく、１種類の光ディスクに複数の異なるコンテンツ記録フォーマットでコンテンツを記録し、かつ、記録されたコンテンツのコンテンツ記録フォーマットに対応した著作権保護技術にしたがってコンテンツを再生することができる。【選択図】図２
2008034002.tif 000002
【特許請求の範囲】
【請求項１】
映像情報および音声情報の少なくとも一方を記録および再生可能な光ディスクであって、複数の著作権保護方式に関連する情報が書き換え不能な領域に格納されたことを特徴とする著作権保護機能付き光ディスク。
【請求項２】
複数の著作権保護方式に関連する情報の一部が格納された領域が、バーストカッティング領域であることを特徴とする請求項１記載の著作権保護機能付光ディスク。
【請求項３】
ブルーレイディスク記録可能型規格の物理規格およびアプリケーション規格の少なくとも一方で定められたコンテンツ記録フォーマットに対応した著作権保護方式に関連する情報の一部と、ブルーレイディスク再生専用型規格の物理規格およびアプリケーション規格の少なくとも一方で定められたコンテンツ記録フォーマットに対応した著作権保護方式に関連する情報の一部とが、前記ブルーレイディスク記録可能型規格の物理規格で定められたバーストカッティング領域に、前記ブルーレイディスク記録可能型規格の物理規格およびアプリケーション規格の少なくとも一方で定められた形式で格納されたことを特徴とする請求項１記載の著作権保護機能付光ディスク。
【請求項４】
ＤＶＤ記録可能型規格の物理規格およびアプリケーション規格の少なくとも一方で定められたコンテンツ記録フォーマットに対応した著作権保護方式であるＣＰＲＭ方式に関連する情報の一部と、ブルーレイディスク記録可能型規格の物理規格およびアプリケーション規格の少なくとも一方で定められたコンテンツ記録フォーマットに対応した著作権保護方式であるＡＡＣＳ方式に関連する情報の一部とが、前記ＤＶＤ記録可能型規格の物理規格で定められたバーストカッティング領域に、前記ＤＶＤ記録可能型規格の物理規格およびアプリケーション規格の少なくとも一方で定められた形式で格納されたことを特徴とする請求項１記載の著作権保護機能付光ディスク。
【請求項５】
ＤＶＤ記録可能型規格の物理規格およびアプリケーション規格の少なくとも一方で定められたコンテンツ記録フォーマットに対応した著作権保護方式であるＣＰＲＭ方式に関連する情報の一部と、ブルーレイディスク再生専用型規格の物理規格およびアプリケーション規格の少なくとも一方で定められたコンテンツ記録フォーマットに対応した著作権保護方式であるＡＡＣＳ方式に関連する情報の一部とが、前記ＤＶＤ記録可能型規格の物理規格で定められたバーストカッティング領域に、前記ＤＶＤ記録可能型規格の物理規格およびアプリケーション規格の少なくとも一方で定められた形式で格納されたことを特徴とする請求項１記載の著作権保護機能付光ディスク。
【請求項６】
ＤＶＤの記録可能型規格の物理規格およびアプリケーション規格の少なくとも一方で定められたコンテンツ記録フォーマットに対応した著作権保護方式であるＣＰＲＭ方式に関連する情報の一部と、ブルーレイディスク記録可能型規格の物理規格およびアプリケーション規格の少なくとも一方で定められたコンテンツ記録フォーマットに対応した著作権保護方式であるＡＡＣＳ方式に関連する情報の一部と、ブルーレイディスク再生専用型規格の物理規格およびアプリケーション規格の少なくとも一方で定められたコンテンツ記録フォーマットに対応した著作権保護方式であるＡＡＣＳ方式に関連する情報の一部とが、前記ＤＶＤ記録可能型規格の物理規格で定められたバーストカッティング領域に、前記ＤＶＤ記録可能型規格の物理規格およびアプリケーション規格の少なくとも一方で定められた形式で格納されたことを特徴とする請求項１記載の著作権保護機能付光ディスク。
【請求項７】
バーストカッティング領域に格納された複数のコンテンツ記録フォーマットに対応した著作権保護方式に関連する情報が、著作権を保護するものであることを表す識別用の数値列または数値列に変換可能な形式で記録されていることを特徴とする請求項１〜６のいずれかに記載の著作権保護機能付光ディスク。
【請求項８】
バーストカッティング領域に格納された複数のコンテンツ記録フォーマットに対応した著作権保護方式に関連する情報が、記録装置および再生装置でバーストカッティング領域に格納されている情報を読み出す順序において、それぞれの著作権を保護する情報の先頭にあることを特徴とする請求項７記載の著作権保護機能付光ディスク。
【請求項９】
バーストカッティング領域に格納されたブルーレイディスク記録可能型規格のコンテンツ記録フォーマットに対応した著作権保護方式に関連する情報が、光ディスク１枚毎に異なる情報であることを特徴とする請求項３、４および６のいずれかに記載の著作権保護機能付光ディスク。
【請求項１０】
バーストカッティング領域に格納されたブルーレイディスク再生専用型規格のコンテンツ記録フォーマットに対応した著作権保護方式に関連する情報が、記録されるコンテンツ、コンテンツ群またはコンテンツを提供する企業を識別する情報であることを特徴とする請求項３、５および６のいずれかに記載の著作権保護機能付光ディスク。
【請求項１１】
バーストカッティング領域に格納されたＤＶＤ記録可能型規格のコンテンツ記録フォーマットに対応した著作権保護方式に関連する情報が、光ディスク１枚毎に異なる情報であることを特徴とする請求項４〜６のいずれかに記載の著作権保護機能付光ディスク。
【請求項１２】
光ディスクに格納されている複数の著作権を保護する情報を光ディスクから読み出す機能と、コンテンツ記録フォーマットに対応した著作権を保護する情報を選択する機能と、上記著作権を保護する情報に基づいて映像および音声のコンテンツを著作権が保護された状態に変換して上記光ディスクに記録する機能とを備えた著作権保護機能付光ディスク記録装置。
【請求項１３】
光ディスクに格納されている複数の著作権を保護する情報を光ディスクから読み出す機能と、コンテンツ記録フォーマットに対応した著作権を保護する情報を選択する機能と、上記著作権を保護する情報に基づいて上記光ディスクに著作権が保護された状態で記録された映像および音声のコンテンツを視聴可能な状態に変換して再生する機能とを備えた著作権保護機能付光ディスク再生装置。
【請求項１４】
書き換え不能な領域に、再生専用型規格のコンテンツ記録フォーマットに対応した著作権保護方式であるＡＡＣＳ方式に関連した情報と同じ形式で、あらかじめ公開された情報が記録された光ディスク。
【発明の詳細な説明】
【技術分野】
【０００１】
本発明は、光ディスクに関するものである。より詳細には、著作権保護技術を用いて複製を制限する機能を有する光ディスクとその光ディスクの記録装置あるいは再生装置に関するものである。
【背景技術】
【０００２】
著作権者は放送手段やインターネットを通じて自己の映像や音響の創造物（以降、コンテンツと記載する）を市場に供給したり、コンテンツを記録した媒体を販売したりして、その対価を得ることを希求する。著作権者はその目的を実現するために著作権者の許可を得ることなくコンテンツが複製されることは望んでいない。しかし、コンテンツ購入者は、購入したコンテンツが一時的（揮発性）ではなく恒久的に所有したいとの願望があり、またコンテンツが供給される時間的制約を解消するタイムシフトの要求も存在する。
【０００３】
コンテンツ購入者の要求を満たすためにコンテンツ記録技術が様々に開発され、円盤状媒体にレーザ光でコンテンツを記録および再生する光ディスク技術もその１つである。
【０００４】
図１は、本発明の対象となる光ディスク１の平面構成を模式的に表した図である。図１において、中心穴２は光ディスク１の中心に開けられた穴で光ディスクにコンテンツを記録する記録機器（以降、レコーダと記載する）やコンテンツを光ディスクから読み出す再生機器（以降、プレーヤと記載する）の中で光ディスク１の位置を決めるために使用されるものである。中心穴２の外側にレコーダやプレーヤが光ディスク１を保持するための領域であるクランプ領域３がドーナツ状に存在する。さらにクランプ領域３の外周の一部にバーストカッティング領域（Ｂｕｒｓｔ  Ｃｕｔｔｉｎｇ  Ａｒｅａ：以降、ＢＣＡと記載する）４が偏在する。ＢＣＡ４には、レコーダでは記録することができない情報が、数値列の形式あるいは数値列に変換可能な、例えばバーコード状の形式で光ディスク１の製造時に格納される。ＢＣＡ４の外周に暗号鍵や暗号鍵を加工した情報が記録されるリードイン領域５がドーナツ状に存在する。リードイン領域５の外側に光ディスク１の中心方向から外縁部に向かってコンテンツが記録されるため、光ディスク１の一番外側にコンテンツ未記録領域７ができ、リードイン領域５とコンテンツ未記録領域７の間がコンテンツ記録領域６となる。コンテンツが記録される領域、すなわちコンテンツ記録領域６とコンテンツ未記録領域７を合わせた領域をコンテンツ用領域８と呼ぶこととする。
【０００５】
青紫色のレーザ光をコンテンツの記録および再生に使用する光ディスク技術の１つであるブルーレイディスク（Ｂｌｕ−ｒａｙ  Ｄｉｓｃ：以降、ＢＤと記載する）と呼ばれるものがある。ＢＤには、放送手段等を使用して供給されるコンテンツをコンテンツ購入者がレコーダを用いて光ディスクに記録し、このコンテンツが記録された光ディスクをプレーヤで再生して視聴するＢＤ記録可能型規格と、コンテンツが既に記録された媒体を購入し、コンテンツ購入者がこのコンテンツが記録された光ディスクをプレーヤで再生してコンテンツを視聴するＢＤ再生専用型規格が存在する。
【０００６】
ＢＤ記録可能型規格は、物理規格とアプリケーション規格とで構成されている。物理規格は、光ディスクの各部分の寸法や形状および光ディスクに記録される情報の記録領域の指定やレーザ光の反射率を定めている。アプリケーション規格は、情報を光ディスクに記録する時の符号化の方法や光ディスクから情報を読み出すときの復号化の方法などを定めている。映像や音響のコンテンツの光ディスクへの記録に関して、ＢＤ記録可能型規格の物理規格およびアプリケーション規格の少なくとも一方で定められたフォーマットをＢＤ記録可能型規格のコンテンツ記録フォーマットと呼び、以降、ＢＤ−ＡＶと記載する。
【０００７】
ＢＤ再生専用型規格も、物理規格とアプリケーション規格とで構成されている。物理規格は、光ディスクの各部分の寸法や形状および光ディスクに記録される情報の記録領域の指定やレーザ光の反射率を定めている。アプリケーション規格は、情報を光ディスクに記録する時の符号化の方法や光ディスクから情報を読み出すときの復号化の方法などを定めている。映像や音響のコンテンツの光ディスクへの記録に関して、ＢＤ再生専用型規格の物理規格およびアプリケーション規格の少なくとも一方で定められたフォーマットをＢＤ再生専用型規格のコンテンツ記録フォーマットと呼び、以降、ＢＤ−ＭＶと記載する。
【０００８】
ＢＤ−ＡＶの映像信号符号化方式はＭＰＥＧ−２のみであるのに対し、ＢＤ−ＭＶの映像信号符号化方式には圧縮率の大きいＨ２６４やＶＣ−１も採用されるなど、コンテンツ記録フォーマットによりその映像信号符号化方式も異なっている。
【０００９】
また、赤色のレーザ光をコンテンツの記録および再生に使用する光ディスク技術であるディジタル多用途ディスク（Ｄｉｇｉｔａｌ  Ｖｅｒｓａｔｉｌｅ  Ｄｉｓｃ：以降、ＤＶＤと記載する）と呼ばれるものがある。ＤＶＤにも、放送手段等を使用して供給されるコンテンツをコンテンツ購入者がレコーダを用いて光ディスクに記録し、このコンテンツが記録された光ディスクをプレーヤで再生して視聴するＤＶＤ記録可能型規格と、コンテンツが既に記録された媒体を購入し、コンテンツ購入者がこのコンテンツが記録された光ディスクをプレーヤで再生してコンテンツを視聴するＤＶＤ再生専用型規格が存在する。
【００１０】
ＤＶＤ記録可能型規格およびＤＶＤ再生専用規格も、ＢＤ記録可能型規格やＢＤ再生専用型規格と同じように物理規格とアプリケーション規格とで構成されている。
【００１１】
ＤＶＤ記録可能型規格において、映像や音響のコンテンツの光ディスクへの記録に関して、ＤＶＤ記録可能型規格の物理規格およびアプリケーション規格の少なくとも一方で定められたフォーマットをＤＶＤ記録可能型規格のコンテンツ記録フォーマットと呼び、以降、ＤＶＤ−ＶＲと記載する。また、ＤＶＤ再生専用型規格において、映像や音響のコンテンツの光ディスクへの記録に関して、ＤＶＤ再生専用型規格の物理規格およびアプリケーション規格の少なくとも一方で定められたフォーマットをＤＶＤ再生専用型規格のコンテンツ記録フォーマットと呼び、以降、ＤＶＤ−ＶＩＤＥＯと記載する。
【００１２】
ＢＤ−ＡＶとＢＤ−ＭＶとＤＶＤ−ＶＲとＤＶＤ−ＶＩＤＥＯには、それぞれ異なった、著作権者の許可なくコンテンツが複製されることを防止するための技術（以降、著作権保護技術と記載する）が採用されている。
【００１３】
また、ＤＶＤ−ＶＲ用途の光ディスクは現在市場に大量に出回っており、ＢＤ−ＡＶやＢＤ−ＭＶの用途の光ディスクに比べて数十分の１の価格で販売されており、光ディスクの規格により価格差が存在している。
【００１４】
著作権保護技術に関して、ＢＤ−ＡＶとＢＤ−ＭＶとＤＶＤ−ＶＲとについてコンテンツ記録フォーマットごとに説明してゆく。
【００１５】
先ず１番目として、従来のＢＤ−ＡＶに対応した著作権保護技術について説明する。ＢＤ−ＡＶ用途の光ディスクのＢＣＡ４には、光ディスク１枚毎にその光ディスクに固有の情報が製造時に格納されることが開示されている。この場合、上記の光ディスクに固有の情報をＭｅｄｉａ  ＩＤ（Ｍｅｄｉａ  ＩＤｅｎｔｉｆｉｅｒの略である）と呼ぶことが開示されている（例えば、非特許文献１参照）。また、このＭｅｄｉａ  ＩＤの搭載には記録電流が８アンペアから９アンペアという大きなエネルギーが必要であることが開示されている（例えば、特許文献１参照）。
【００１６】
ＢＤ−ＡＶでのコンテンツの記録時の動作について説明する。レコーダは、レコーダが有する暗号鍵を用いて暗号化したコンテンツを光ディスク１のコンテンツ用領域８に記録し、暗号鍵を光ディスク１のリードイン領域５に記録する。また、レコーダはＢＣＡ４に記録されたＭｅｄｉａ  ＩＤを暗号化したコンテンツを記録しようとする光ディスク１から読み出し、このＭｅｄｉａ  ＩＤを基に暗号鍵を加工した情報を光ディスク１のリードイン領域５に記録する。
【００１７】
次に、ＢＤ−ＡＶでのコンテンツ再生時の動作について説明する。プレーヤはＢＣＡ４からＭｅｄｉａ  ＩＤを読み出し、Ｍｅｄｉａ  ＩＤを基に暗号鍵を加工した情報から暗号鍵を復元する。この復元された暗号鍵がリードイン領域５に記録されている暗号鍵と一致すれば、この暗号鍵を用いてコンテンツ記録領域６内の暗号化されたコンテンツを復号化する。
【００１８】
一方、既に一度光ディスクに記録された情報を別の光ディスクに複製を試みた場合について説明する。暗号化されたコンテンツと暗号鍵および暗号鍵を加工した情報が別のディスクに複製される。しかし、元の光ディスクのＭｅｄｉａ  ＩＤと複製された光ディスクのＭｅｄｉａ  ＩＤとは異なっている。プレーヤでこの複製された光ディスクのＭｅｄｉａ  ＩＤを基に暗号鍵を加工した情報から暗号鍵を復元すると、暗号化したときのＭｅｄｉａ  ＩＤと復元するときのＭｅｄｉａ  ＩＤとが異なるため、元の光ディスクから複製された暗号鍵とは一致しない。暗号鍵が一致しなければプレーヤは暗号化されたコンテンツを復号できない。
【００１９】
このようにして、ＢＤ−ＡＶに対応した著作権保護技術ではコンテンツ購入者は一度だけコンテンツを光ディスクに記録できるが、この記録した光ディスクからさらに別の光ディスクに記録しても正常にコンテンツを再生することができない。その結果、著作権者は一度の記録以外のコンテンツの複製を防ぐことができる。
【００２０】
また、Ｍｅｄｉａ  ＩＤの先頭の２バイトは、ＢＣＡ４に記録されている情報がＭｅｄｉａ  ＩＤであることを示すヘッダーであり、続く２バイトは光ディスク１の製造上の情報、そして最後に個々の光ディスクに固有な情報である１２バイトのシリアルナンバーでＭｅｄｉａ  ＩＤは構成されている。
【００２１】
２番目として、従来のＢＤ−ＭＶに対応した著作権保護技術について説明する。ＢＤ−ＭＶは映画会社やレコード会社のような企業が大量にコンテンツを製造して販売することを想定している。そのため、ＢＤ−ＭＶ用途の光ディスク１の著作権保護技術には光ディスク１枚毎の情報ではなくコンテンツ単位あるいはコンテンツ群単位もしくはコンテンツ製造企業単位での識別情報を使用する方法を採用している。非特許文献２の１４ページには、ＢＤ−ＭＶ用途の光ディスクに記録されているコンテンツ単位あるいはコンテンツ群単位もしくはコンテンツ製造企業単位での識別情報をＶｏｌｕｍｅ  ＩＤｅｎｔｉｆｉｅｒ（以降、Ｖｏｌｕｍｅ  ＩＤと記載する）と呼ぶことが開示されている。
【００２２】
ＢＤ−ＭＶでのコンテンツの記録時の動作について説明する。コンテンツ製造企業は、暗号鍵を用いて暗号化したコンテンツを光ディスク１のコンテンツ記録用領域８に記録し、著作権保護技術の使用許諾情報とＶｏｌｕｍｅ  ＩＤを基に暗号鍵を加工した情報とを光ディスク１のリードイン領域５に記録する。加えて、Ｖｏｌｕｍｅ  ＩＤを光ディスク１のリードイン領域５に複製不能な形式で記録する。
【００２３】
次に、ＢＤ−ＭＶでのコンテンツ再生時の動作について説明する。プレーヤはリードイン領域５からＶｏｌｕｍｅ  ＩＤを読み出し、このＶｏｌｕｍｅ  ＩＤを基に暗号鍵を加工した情報から暗号鍵を復元する。また、プレーヤに保管されている鍵を使用して著作権保護技術の使用許諾情報を光ディスク１のリードイン領域５から探し出す。使用許諾情報が正しいことが確認されれば、Ｖｏｌｕｍｅ  ＩＤを基に復元された暗号鍵を用いて光ディスク１のコンテンツ記録領域６内の暗号化されたコンテンツを復号化する。
【００２４】
一方、既に販売されているＢＤ−ＭＶで記録された光ディスクを別の光ディスクに複製を試みた場合について説明する。Ｖｏｌｕｍｅ  ＩＤは複製不能な形式で記録されているため、別の光ディスクには複製されない。複製を試みた光ディスクではＶｏｌｕｍｅ  ＩＤが異なるので、元の光ディスクから複製された暗号鍵とは一致しない。暗号鍵が一致しなければプレーヤは暗号化されたコンテンツを復号できない。
【００２５】
このようにして、ＢＤ−ＭＶに対応した著作権保護技術では著作権者の許可を得ないコンテンツの複製が防止できる。
【００２６】
なお、Ｖｏｌｕｍｅ  ＩＤは１６バイトのデータのみであることが開示されている（例えば、非特許文献２参照）。
【００２７】
３番目として、従来のＤＶＤ−ＶＲに対応した著作権保護技術について説明する。ＤＶＤ−ＶＲに対応した光ディスクには、ＢＤ−ＡＶに対応した著作権保護技術と同じようにＭｅｄｉａ  ＩＤがＢＣＡ４に製造時に格納されることが開示されている（例えば、非特許文献３参照）。
【００２８】
ＤＶＤ−ＶＲでのコンテンツの記録時の動作について説明する。レコーダは、レコーダが有する暗号鍵を用いて暗号化したコンテンツを光ディスク１のコンテンツ記録用領域８に記録する。また、レコーダはＭｅｄｉａ  ＩＤを光ディスク１のＢＣＡ４から読み出し、このＭｅｄｉａ  ＩＤを基に暗号鍵を加工した情報をリードイン領域５に記録する。
【００２９】
次に、ＤＶＤ−ＶＲでのコンテンツ再生時の動作について説明する。プレーヤはＭｅｄｉａ  ＩＤを光ディスク１のＢＣＡ４からを読み出し、Ｍｅｄｉａ  ＩＤを基に暗号鍵を加工した情報から暗号鍵を復元し、この暗号鍵を用いてコンテンツ記録領域６内の暗号化されたコンテンツを復号化する。
【００３０】
一方、既に一度光ディスクに記録された情報を別の光ディスクに複製を試みた場合について説明する。暗号化されたコンテンツと暗号鍵を加工した情報が別のディスクに複製される。しかし、元のＤＶＤ−ＶＲの光ディスクのＭｅｄｉａ  ＩＤと複製を試みるＤＶＤ−ＶＲの光ディスクのＭｅｄｉａ  ＩＤとが異なるため、プレーヤでＭｅｄｉａ  ＩＤを基に暗号鍵を加工した情報から暗号鍵を復元した暗号鍵はコンテンツを暗号化した暗号鍵とは異なる。したがって、暗号化されたコンテンツは復号化されない。
【００３１】
このようにして、ＤＶＤ−ＶＲではコンテンツ購入者は一度だけコンテンツを光ディスクに記録できるが、この記録した光ディスクからさらに別の光ディスクに記録しても正常にコンテンツを再生することができない。その結果、著作権者は一度の記録以外のコンテンツの複製を防ぐことができる。
【００３２】
ＢＤ−ＡＶやＤＶＤ−ＶＲでのＭｅｄｉａ  ＩＤやＢＤ−ＭＶでのＶｏｌｕｍｅ  ＩＤのように著作権保護技術を保障する情報を著作権保護用情報と呼ぶことにする。
【００３３】
上記のＢＤ−ＡＶやＢＤ−ＭＶに使われている著作権保護技術はＡＡＣＳ方式と呼ばれている。ＡＡＣＳ方式の特徴は、従来のＢＤ−ＡＶに関する説明と従来のＢＤ−ＭＶに関する説明とで記載したように、光ディスクに、著作権保護用情報と、暗号鍵と、著作権保護用情報を基に暗号鍵を加工した情報と、暗号鍵で暗号化されたコンテンツとが記録され、復号時には、著作権保護用情報に基づき暗号鍵を加工した情報から復元された暗号鍵と、光ディスクに記録された暗号鍵とが一致しなければ暗号化されたコンテンツを復号しないことである。また、暗号鍵の長さは１２８ビットと後述するＣＰＲＭ方式より長いことも特徴の１つである。
【００３４】
上記のＤＶＤ−ＶＲに使われている著作権保護技術はＣＰＲＭ方式と呼ばれている。ＣＰＲＭ方式の特徴は、従来のＤＶＤ−ＶＲに関する説明で記載したように、光ディスクに、著作権保護用情報と、著作権保護用情報を基に暗号鍵を加工した情報と、暗号鍵で暗号化されたコンテンツとが記録され、復号時には、著作権保護用情報に基づき暗号鍵を加工した情報から復元された暗号鍵を用いてコンテンツを復号することである。また、暗号鍵の長さは５６ビットと前述のＡＡＳＣ方式より短い。
【００３５】
従来のＤＶＤ−ＶＩＤＥＯに対応する著作権保護用情報とその著作権保護用情報が格納されている領域、およびＢＤと同じく次世代のＤＶＤと言われているＨＤ−ＤＶＤ再生専用型規格のコンテンツ記録フォーマット（以降、ＨＤＤＶＤ−ＶＩＤＥＯと記載する）に対応する著作保護用情報とその著作権保護用情報が格納されている領域、ならびにＨＤ−ＤＶＤ記録可能型規格のコンテンツ記録フォーマット（以降、ＨＤＤＶＤ−ＶＲと記載する）に対応する著作権保護用情報とその著作権保護用情報が格納されている領域をまとめて表１に示す（例えば非特許文献４、５参照）。
【００３６】
【表１】
2008034002.tif 000003
【００３７】
【特許文献１】特開平１１−１６２０３１号公報（１３頁、図５）
【非特許文献１】Ａｄｖａｎｃｅｄ  Ａｃｃｅｓｓ  Ｃｏｎｔｅｎｔ  Ｓｙｓｔｅｍｓ：Ｂｌｕ−ｒａｙ  Ｄｉｓｃ  Ｒｅｃｏｒｄａｂｌｅ  Ｂｏｏｋ  Ｒｅｖｉｓｉｏｎ  ０．９１、Ｆｅｂｒｕａｒｙ  １７、２００６、ｐ．５−６
【非特許文献２】Ａｄｖａｎｃｅｄ  Ａｃｃｅｓｓ  Ｃｏｎｔｅｎｔ  Ｓｙｓｔｅｍｓ：Ｂｌｕ−ｒａｙ  Ｄｉｓｃ  Ｐｒｅ−ｒｅｃｏｒｄｅｄ  Ｂｏｏｋ  Ｒｅｖｉｓｉｏｎ  ０．９１１、Ｍａｒｃｈ  １３、２００６、ｐ．１４、Ｔａｂｌｅ３−１
【非特許文献３】徳丸春樹、横川文彦、入江満共著、「図解ＤＶＤ読本」オーム社、平成16年7月5日、ｐ．８２−８３
【非特許文献４】Ａｄｖａｎｃｅｄ  Ａｃｃｅｓｓ  ＣｏｎｔｅｎｔＳｙｓｔｅｍ：ＨＤＤＶＤ  ａｎｄ  ＤＶＤ  Ｐｒｅ−ｒｅｃｏｒｄｅｄ  Ｂｏｏｋ  Ｒｅｖｉｓｉｏｎ  ０．９１１、Ｍａｒｃｈ  １３、２００６、ｐ．２６
【非特許文献５】Ａｄｖａｎｃｅｄ  Ａｃｃｅｓｓ  Ｃｏｎｔｅｎｔ  Ｓｙｓｔｅｍ：ＨＤＤＶＤ  Ｒｅｃｏｒｄａｂｌｅ  Ｂｏｏｋ  Ｒｅｖｉｓｉｏｎ  ０．９２、Ａｐｒｉｌ  ２６、２００６、ｐ．１３−１７
【発明の開示】
【発明が解決しようとする課題】
【００３８】
従来の著作権保護機能付光ディスクの記録および再生方法では、コンテンツ記録フォーマット毎に異なる著作権保護技術が存在するために、ユーザはコンテンツを記録する際には、同じコンテンツであってもコンテンツ記録フォーマット毎に異なる光ディスクに記録しなければならないという問題点があった。
【００３９】
この発明は、上記のような課題を解決するためになされたもので、１枚の光ディスクの再生専用領域に複数の著作権保護技術に対応した情報を記録することで、同じ光ディスクに異なる著作権保護技術に基づくコンテンツ記録フォーマットの情報を記録することができる。
【課題を解決するための手段】
【００４０】
この発明に係る第１の著作権保護機能付光ディスクは、映像情報および音声情報の少なくとも一方を記録および再生可能な光ディスクであって、複数の著作権保護方式に関連する情報を書き換え不能な領域に格納するように構成したものである。
【００４１】
この発明に係る第２の著作権保護機能付光ディスクは、第１の著作権保護機能付光ディスクにおいて複数の著作権保護方式に関連する情報の一部が格納された領域を、バーストカッティング領域となるように構成したものである。
【００４２】
この発明に係る第３の著作権保護機能付光ディスクは、第１の著作権保護機能付光ディスクにおいて、ブルーレイディスク記録可能型規格の物理規格およびアプリケーション規格の少なくとも一方で定められたコンテンツ記録フォーマットに対応した著作権保護方式に関連する情報の一部と、ブルーレイディスク再生専用型規格の物理規格およびアプリケーション規格の少なくとも一方で定められたコンテンツ記録フォーマットに対応した著作権保護方式に関連する情報の一部とを、前記ブルーレイディスク記録可能型規格の物理規格で定められたバーストカッティング領域に、前記ブルーレイディスク記録可能型規格の物理規格およびアプリケーション規格の少なくとも一方で定められた形式で格納するように構成したものである。
【００４３】
この発明に係る第４の著作権保護機能付光ディスクは、第１の著作権保護機能付光ディスクにおいて、ＤＶＤ記録可能型規格の物理規格およびアプリケーション規格の少なくとも一方で定められたコンテンツ記録フォーマットに対応した著作権保護方式であるＣＰＲＭ方式に関連する情報の一部と、ブルーレイディスク記録可能型規格の物理規格およびアプリケーション規格の少なくとも一方で定められたコンテンツ記録フォーマットに対応した著作権保護方式であるＡＡＣＳ方式に関連する情報の一部とを、前記ＤＶＤ記録可能型規格の物理規格で定められたバーストカッティング領域に、前記ＤＶＤ記録可能型規格の物理規格およびアプリケーション規格の少なくとも一方で定められた形式で格納するように構成したものである。
【００４４】
この発明に係る第５の著作権保護機能付光ディスクは、第１の著作権保護機能付光ディスクにおいて、ＤＶＤ記録可能型規格の物理規格およびアプリケーション規格の少なくとも一方で定められたコンテンツ記録フォーマットに対応した著作権保護方式であるＣＰＲＭ方式に関連する情報の一部と、ブルーレイディスク再生専用型規格の物理規格およびアプリケーション規格の少なくとも一方で定められたコンテンツ記録フォーマットに対応した著作権保護方式であるＡＡＣＳ方式に関連する情報の一部とを、前記ＤＶＤ記録可能型規格の物理規格で定められたバーストカッティング領域に、前記ＤＶＤ記録可能型規格の物理規格およびアプリケーション規格の少なくとも一方で定められた形式で格納するように構成したものである。
【００４５】
この発明に係る第６の著作権保護機能付光ディスクは、第１の著作権保護機能付光ディスクにおいて、ＤＶＤ記録可能型規格の物理規格およびアプリケーション規格の少なくとも一方で定められたコンテンツ記録フォーマットに対応した著作権保護方式であるＣＰＲＭ方式に関連する情報の一部と、ブルーレイディスク記録可能型規格の物理規格およびアプリケーション規格の少なくとも一方で定められたコンテンツ記録フォーマットに対応した著作権保護方式であるＡＡＣＳ方式に関連する情報の一部と、ブルーレイディスク再生専用型規格の物理規格およびアプリケーション規格の少なくとも一方で定められたコンテンツ記録フォーマットに対応した著作権保護方式であるＡＡＣＳ方式に関連する情報の一部とを、前記ＤＶＤ記録可能型規格の物理規格で定められたバーストカッティング領域に、前記ＤＶＤ記録可能型規格の物理規格およびアプリケーション規格の少なくとも一方で定められた形式で格納するように構成したものである。
【００４６】
この発明に係る第７の著作権保護機能付光ディスクは、第１〜６の著作権保護機能付光ディスクにおいて、バーストカッティング領域に格納された複数のコンテンツ記録フォーマットに対応した著作権保護方式に関連する情報を、著作権を保護するものであることを表す識別用の数値列または数値列に変換可能な形式で記録するように構成したものである。
【００４７】
この発明に係る第８の著作権保護機能付光ディスクは、第７の著作権保護機能付光ディスクにおいて、バーストカッティング領域に格納された複数のコンテンツ記録フォーマットに対応した著作権保護方式に関連する情報を、記録装置および再生装置でバーストカッティング領域に格納されている情報を読み出す順序において、それぞれの著作権を保護する情報の先頭になるように構成したものである。
【００４８】
この発明に係る第９の著作権保護機能付光ディスクは、第３、４および６の著作権保護機能付光ディスクにおいて、バーストカッティング領域に格納されたブルーレイディスク記録可能型規格のコンテンツ記録フォーマットに対応した著作権保護方式に関連する情報を、光ディスク１枚毎に異なる情報としたものである。
【００４９】
この発明に係る第１０の著作権保護機能付光ディスクは、第３、５および６の著作権保護機能付光ディスクにおいて、バーストカッティング領域に格納されたブルーレイディスク再生専用型規格のコンテンツ記録フォーマットに対応した著作権保護方式に関連する情報を、記録されるコンテンツ、コンテンツ群またはコンテンツを提供する企業を識別する情報としたものである。
【００５０】
この発明に係る第１１の著作権保護機能付光ディスクは、第４〜６の著作権保護機能付光ディスクにおいて、バーストカッティング領域に格納されたＤＶＤ記録可能型規格のコンテンツ記録フォーマットに対応した著作権保護方式に関連する情報を、光ディスク１枚毎に異なる情報としたものである。
【００５１】
この発明に係る著作権保護機能付光ディスク記録装置は、光ディスクに格納されている複数の著作権を保護する情報を光ディスクから読み出す機能と、コンテンツ記録フォーマットに対応した著作権を保護する情報を選択する機能と、上記著作権を保護する情報に基づいて映像および音声のコンテンツを著作権が保護された状態に変換して上記光ディスクに記録する機能とを備えたように構成したものである。
【００５２】
この発明に係る著作権保護機能付光ディスク再生装置は、光ディスクに格納されている複数の著作権を保護する情報を光ディスクから読み出す機能と、コンテンツ記録フォーマットに対応した著作権を保護する情報を選択する機能と、上記著作権を保護する情報に基づいて上記光ディスクに著作権が保護された状態で記録された映像および音声のコンテンツを視聴可能な状態に変換して再生する機能とを備えたように構成したものである。
【００５３】
この発明に係る光ディスクは、書き換え不能な領域に、再生専用型規格のコンテンツ記録フォーマットに対応した著作権保護方式であるＡＡＣＳ方式に関連した情報と同じ形式で、あらかじめ公開された情報が記録するように構成したものである。
【発明の効果】
【００５４】
この発明に係る第１の著作権保護機能付光ディスクは、映像情報および音声情報の少なくとも一方を記録および再生可能な光ディスクにおいて、複数の著作権保護方式に関連する情報を書き換え不能な領域に格納するように構成したので、著作権保護機能を失わせることなく、１種類の光ディスクに複数の異なるコンテンツ記録フォーマットでコンテンツを記録し、かつ、記録されたコンテンツのコンテンツ記録フォーマットに対応した著作権保護技術にしたがってコンテンツを再生することができる。
【００５５】
この発明に係る第２の著作権保護機能付光ディスクは、第１の著作権保護機能付光ディスクに、さらに複数の著作権保護方式に関連する情報の一部が格納された領域を、バーストカッティング領域となるように構成したので、コンテンツ記録時に、複数の著作権保護方式に関連する情報を記録することもできる。
【００５６】
この発明に係る第３の著作権保護機能付光ディスクは、第１の著作権保護機能付光ディスクにおいて、ブルーレイディスク記録可能型規格の物理規格およびアプリケーション規格の少なくとも一方で定められたコンテンツ記録フォーマットに対応した著作権保護方式に関連する情報の一部と、ブルーレイディスク再生専用型規格の物理規格およびアプリケーション規格の少なくとも一方で定められたコンテンツ記録フォーマットに対応した著作権保護方式に関連する情報の一部とを、前記ブルーレイディスク記録可能型規格の物理規格で定められたバーストカッティング領域に、前記ブルーレイディスク記録可能型規格の物理規格およびアプリケーション規格の少なくとも一方で定められた形式で格納するように構成したので、１枚のブルーレイディスク記録可能型規格に対応した光ディスクにコンテンツを記録する場合に、著作権保護機能を失わせることなく、ブルーレイディスク記録可能型規格のコンテンツ記録フォーマットとブルーレイディスク再生専用型規格のコンテンツ記録フォーマットとの双方に対応することもできる。
【００５７】
この発明に係る第４の著作権保護機能付光ディスクは、第１の著作権保護機能付光ディスクにおいて、ＤＶＤ記録可能型規格の物理規格およびアプリケーション規格の少なくとも一方で定められたコンテンツ記録フォーマットに対応した著作権保護方式であるＣＰＲＭ方式に関連する情報の一部と、ブルーレイディスク記録可能型規格の物理規格およびアプリケーション規格の少なくとも一方で定められたコンテンツ記録フォーマットに対応した著作権保護方式であるＡＡＣＳ方式に関連する情報の一部とを、前記ＤＶＤ記録可能型規格の物理規格で定められたバーストカッティング領域に、前記ＤＶＤ記録可能型規格の物理規格およびアプリケーション規格の少なくとも一方で定められた形式で格納するように構成したので、１枚のＤＶＤ記録可能型規格に対応した光ディスクに、コンテンツを記録する場合に、著作権保護機能を失わせることなく、ＤＶＤ記録可能型規格のコンテンツ記録フォーマットとブルーレイディスクの記録可能型規格のコンテンツ記録フォーマットとの双方に対応することもできる。
【００５８】
この発明に係る第５の著作権保護機能付光ディスクは、第１の著作権保護機能付光ディスクにおいて、ＤＶＤ記録可能型規格の物理規格およびアプリケーション規格の少なくとも一方で定められたコンテンツ記録フォーマットに対応した著作権保護方式であるＣＰＲＭ方式に関連する情報の一部と、ブルーレイディスク再生専用型規格の物理規格およびアプリケーション規格の少なくとも一方で定められたコンテンツ記録フォーマットに対応した著作権保護方式であるＡＡＣＳ方式に関連する情報の一部とを、前記ＤＶＤ記録可能型規格の物理規格で定められたバーストカッティング領域に、前記ＤＶＤ記録可能型規格の物理規格およびアプリケーション規格の少なくとも一方で定められた形式で格納するように構成したので、１枚のＤＶＤ記録可能型規格に対応した光ディスクに、コンテンツを記録する場合に、著作権保護機能を失わせることなく、ＤＶＤ記録可能型規格のコンテンツ記録フォーマットとブルーレイディスク再生専用型規格のコンテンツ記録フォーマットとの双方に対応することもできる。
【００５９】
この発明に係る第６の著作権保護機能付光ディスクは、第１の著作権保護機能付光ディスクにおいて、ＤＶＤ記録可能型規格の物理規格およびアプリケーション規格の少なくとも一方で定められたコンテンツ記録フォーマットに対応した著作権保護方式であるＣＰＲＭ方式に関連する情報の一部と、ブルーレイディスク記録可能型規格の物理規格およびアプリケーション規格の少なくとも一方で定められたコンテンツ記録フォーマットに対応した著作権保護方式であるＡＡＣＳ方式に関連する情報の一部と、ブルーレイディスク再生専用型規格の物理規格およびアプリケーション規格の少なくとも一方で定められたコンテンツ記録フォーマットに対応した著作権保護方式であるＡＡＣＳ方式に関連する情報の一部とを、前記ＤＶＤ記録可能型規格の物理規格で定められたバーストカッティング領域に、前記ＤＶＤ記録可能型規格の物理規格およびアプリケーション規格の少なくとも一方で定められた形式で格納するように構成したので、１枚のＤＶＤ記録可能型規格に対応した光ディスクに、コンテンツを記録する場合に、著作権保護機能を失わせることなく、ＤＶＤ記録可能型規格のコンテンツ記録フォーマットとブルーレイディスク記録可能型規格のコンテンツ記録フォーマットとブルーレイディスク再生専用型規格のコンテンツ記録フォーマットとのいずれにも対応することもできる。
【００６０】
この発明に係る第７の著作権保護機能付光ディスクは、第１〜６の著作権保護機能付光ディスクにおいて、さらに、バーストカッティング領域に格納された複数のコンテンツ記録フォーマットに対応した著作権保護方式に関連する情報を、著作権を保護するものであることを表す識別用の数値列または数値列に変換可能な形式で記録するように構成したので、複数の光ディスク物理規格またはアプリケーション規格の対応した複数の著作権保護方式に関連する情報を１枚のディスクに格納する順に制約をなくすることもできる。
【００６１】
この発明に係る第８の著作権保護機能付光ディスクは、第７の著作権保護機能付光ディスクにおいて、さらに、バーストカッティング領域に格納された複数のコンテンツ記録フォーマットに対応した著作権保護方式に関連する情報を、記録装置および再生装置でバーストカッティング領域に格納されている情報を読み出す順序において、それぞれの著作権を保護する情報の先頭になるように構成したので、コンテンツの記録や再生に必要な著作権を保護する情報のみを選択的にレコーダやプレーヤが光ディスクから読み出すこともできる。
【００６２】
この発明に係る第９の著作権保護機能付光ディスクは、第３、４および６の著作権保護機能付光ディスクにおいて、さらに、バーストカッティング領域に格納されたブルーレイディスク記録可能型規格のコンテンツ記録フォーマットに対応した著作権保護方式に関連する情報を、光ディスク１枚毎に異なる情報としたので、複数のコンテンツ記録フォーマットに対応した光ディスクにおいても、ブルーレイディスク記録可能型規格に対応した記録装置および再生装置を変更することなく、ブルーレイディスク記録可能型規格のコンテンツ記録フォーマットのコンテンツを記録または再生することもできる。
【００６３】
この発明に係る第１０の著作権保護機能付光ディスクは、第３、５および６の著作権保護機能付光ディスクにおいて、さらに、バーストカッティング領域に格納されたブルーレイディスク再生専用型規格のコンテンツ記録フォーマットに対応した著作権保護方式に関連する情報を、記録されるコンテンツ、コンテンツ群またはコンテンツを提供する企業を識別する情報としたので、複数のコンテンツ記録フォーマットに対応した光ディスクにおいても、ブルーレイディスク再生専用型規格に対応した再生装置を大きく変更させることなく、ブルーレイディスク再生専用型規格のコンテンツ記録フォーマットのコンテンツを再生することもできる。
【００６４】
この発明に係る第１１の著作権保護機能付光ディスクは、第４〜６の著作権保護機能付光ディスクにおいて、さらに、バーストカッティング領域に格納されたＤＶＤ記録可能型規格のコンテンツ記録フォーマットに対応した著作権保護方式に関連する情報を、光ディスク１枚毎に異なる情報としたので、複数のコンテンツ記録フォーマットに対応した光ディスクにおいても、現行のＤＶＤ記録可能型規格に対応した記録装置および再生装置を変更することなく、ＤＶＤ記録可能型規格のコンテンツ記録フォーマットのコンテンツを記録または再生することもできる。
【００６５】
この発明に係る著作権保護機能付光ディスク記録装置は、光ディスクに格納されている複数の著作権を保護する情報を光ディスクから読み出す機能と、コンテンツ記録フォーマットに対応した著作権を保護する情報を選択する機能と、上記著作権を保護する情報に基づいて映像および音声のコンテンツを著作権が保護された状態に変換して上記光ディスクに記録する機能とを備えたように構成したので、著作権保護機能を失わせることなく、１種類の光ディスクに複数の異なるコンテンツ記録フォーマットでコンテンツを記録することができる。
【００６６】
この発明に係る著作権保護機能付光ディスク再生装置は、光ディスクに格納されている複数の著作権を保護する情報を光ディスクから読み出す機能と、コンテンツ記録フォーマットに対応した著作権を保護する情報を選択する機能と、上記著作権を保護する情報に基づいて上記光ディスクに著作権が保護された状態で記録された映像および音声のコンテンツを視聴可能な状態に変換して再生する機能とを備えたように構成したので、著作権保護機能を失わせることなく、光ディスクに記録されたコンテンツのコンテンツ記録フォーマットに対応した著作権保護技術にしたがってコンテンツを再生することができる。
【００６７】
この発明に係る光ディスクは、書き換え不能な領域に、再生専用型規格のコンテンツ記録フォーマットに対応した著作権保護方式であるＡＡＣＳ方式に関連した情報と同じ形式で、あらかじめ公開された情報が記録されるように構成したので、再生専用型規格のコンテンツ記録フォーマットで記録および再生することができる。
【発明を実施するための最良の形態】
【００６８】
本発明を実施するための最良の形態は、書き換え不能な領域に、複数の著作権保護方式に関連する情報を格納した光ディスクである。
【００６９】
実施の形態１．
図２は、本発明の実施の形態１における、ＢＤ−ＡＶ用途の光ディスクのＢＣＡの構成図である。従来、ＢＣＡ４にはＢＤ−ＡＶに対応した著作権保護技術のＭｅｄｉａ  ＩＤがバーコード状の形式で記録されているだけで、Ｖｏｌｕｍｅ  ＩＤは存在していない。本実施の形態では、図２に示すように、ＢＣＡ４の中にＢＤ−ＡＶに対応した著作権保護技術のＭｅｄｉａ  ＩＤ４０１とこのＢＤ−ＡＶに対応した著作権保護技術のＭｅｄｉａ  ＩＤ４０１に引き続いてＢＤ−ＭＶに対応した著作権保護技術のＶｏｌｕｍｅ  ＩＤ４０２とをＢＤ−ＡＶ用途の光ディスクのＢＣＡ４に記録し、コンテンツが記録されていない、即ち、図１のコンテンツ記録領域６が無くコンテンツ未記録領域７が広く存在する光ディスクを提供する。
【００７０】
本実施の形態における光ディスク１にＢＤ−ＡＶでコンテンツを記録する場合には、ＢＤ−ＡＶ用途のレコーダは、ＢＣＡ４のＢＤ−ＡＶに対応した著作権保護技術のＭｅｄｉａ  ＩＤ４０１のみを光ディスク１から読み出し、ＢＤ−ＡＶに対応した著作権保護技術のＭｅｄｉａ  ＩＤ４０１を基に暗号鍵を加工した情報と暗号鍵とを光ディスク１のリードイン領域５に記録する。また、ＢＤ−ＡＶ用途のレコーダは、暗号化されたコンテンツを光ディスク１のコンテンツ記録用領域８に記録する。本実施の形態における光ディスクにＢＤ−ＡＶで記録されたコンテンツを再生する場合は、ＢＤ−ＡＶ用途のプレーヤは、ＢＤ−ＡＶに対応した著作権保護技術のＭｅｄｉａ  ＩＤ４０１を基に暗号鍵を加工した情報から暗号鍵を復元し従来の技術と同一の動作で再生できる。また、本実施の形態における光ディスクに一度ＢＤ−ＡＶで記録したコンテンツを別の光ディスクに複製を試みた場合、図２のＢＣＡ４のＢＤ−ＡＶに対応した著作権保護技術のＭｅｄｉａ  ＩＤ４０１が光ディスク毎に異なるため、ＢＤ−ＡＶの用途のプレーヤは従来の技術と同じ動作により暗号化されたコンテンツは復号化されない。
【００７１】
次に、本実施の形態における光ディスクはＢＤ−ＭＶでコンテンツを記録でき、かつ、著作権保護機能を失っていないことを説明する。光ディスクにＢＤ−ＭＶで記録する場合とは、映画会社やレコード会社等のコンテンツ製造企業がＢＤ−ＭＶの形式で所有している大量のコンテンツを駅の売店あるいは街の薬局やコンビニエンスストア（以降、小売店と記載する）でコンテンツ購入希望者に著作権保護機能を付して販売する多品種少量販売の場合に該当する。小売店で多くの製品を保管しておくことは、警備上もまた財務上も好ましいことではない。コンテンツ購入希望者に、その都度ＢＤ−ＭＶ用途のレコーダでコンテンツを記録し販売する方が望ましい。ＢＤ−ＭＶ用途のレコーダの動作は、ＢＣＡ４のＢＤ−ＭＶに対応した著作権保護技術のＶｏｌｕｍｅ  ＩＤ４０２を本実施の形態における光ディスク１のＢＣＡ４から読み出し、このＶｏｌｕｍｅ  ＩＤ４０２を基に暗号鍵を加工した情報と著作権保護技術の使用許諾情報とを光ディスク１のリードイン領域５に記録し、暗号化したコンテンツを光ディスク１のコンテンツ記録用領域８に記録する。一方、コンテンツの再生に際しては、購入した光ディスクのＢＣＡ４からＶｏｌｕｍｅ  ＩＤ４０２を読み出し、これ以降は従来のＢＤ−ＭＶ用途のプレーヤの動作手順でコンテンツが復号される。コンテンツあるいはコンテンツ群もしくはコンテンツ製造企業を識別するＶｏｌｕｍｅ  ＩＤ４０２を記録した光ディスクは、著作権者が市販しなければ小売店に存在するのみである。したがって、コンテンツ購入者がコンテンツを購入した光ディスクから別の光ディスクへ複製を試みようとしても、複製先の光ディスクには正規のＶｏｌｕｍｅ  ＩＤ４０２が存在しないため、視聴可能なコンテンツの複製はできない。
【００７２】
実施の形態２．
図３は、本発明の実施の形態２における光ディスクのＢＣＡ４の構成図である。本来、ＢＣＡ４は図２に示すように扇面の形をしているが、作図の簡易性から図３以降、ＢＣＡ４は長方形で模式的に表現する。
【００７３】
背景技術で説明したように、ＢＤ−ＡＶに対応した著作権技術のＭｅｄｉａ  ＩＤ４０１の最初の２バイト（１６ビット）の情報は、この２バイトの情報を含んだ１６バイトの情報がＭｅｄｉａ  ＩＤであることを示す（１６進表記で０４１Ｅである）所定の値に定められている。同じく、ＢＤ−ＭＶに対応する著作権保護技術のＶｏｌｕｍｅ  ＩＤ４０２には、１６バイトの情報の配列がＶｏｌｕｍｅ  ＩＤであることを示す所定の値は定められていない。実施の形態１においては、図２に示すように、ＢＤ−ＡＶに対応した著作権保護技術のＭｅｄｉａ  ＩＤ４０１に引き続きＢＤ−ＭＶに対応した著作権保護技術のＶｏｌｕｍｅ  ＩＤ４０２が配置される光ディスクの例を示した。実施の形態１の光ディスクにおいては、ＢＤ−ＭＶに対応した著作権保護技術のＶｏｌｕｍｅ  ＩＤ４０２を読み出そうとする場合、ＢＤ−ＡＶに対応した著作権保護技術のＭｅｄｉａ  ＩＤ ４０１とＢＤ−ＭＶに対応した著作権保護技術のＶｏｌｕｍｅ  ＩＤ４０２とを同時に読み出し、その後ＢＤ−ＡＶに対応した著作権保護技術のＭｅｄｉａ  ＩＤ４０１の１６バイトより後ろのデータ１６バイト分がＢＤ−ＭＶに対応した著作権保護技術のＶｏｌｕｍｅ  ＩＤ４０２であると認識する必要がある。
【００７４】
しかし、本実施の形態においては、１バイトでかつＢＤ−ＡＶに対応した著作権技術のＭｅｄｉａ  ＩＤ４０１の最初の１バイトの情報とは異なる所定の値、あるいは、２バイト以上でかつＢＤ−ＡＶに対応した著作権技術のＭｅｄｉａ  ＩＤ４０１の最初の２バイトの情報と異なる所定の値の情報をＢＤ−ＭＶに対応する著作権保護技術のＶｏｌｕｍｅ  ＩＤ４０２に付加してＢＣＡ４にＢＤ−ＡＶに対応した著作権技術のＭｅｄｉａ  ＩＤ４０１と同じ形式で記録した光ディスクを提供する。以降、著作権保護技術のＶｏｌｕｍｅ  ＩＤに付加した情報をＶｏｌｕｍｅ  ＩＤヘッダーと記載する。
【００７５】
図３に示すように、Ｖｏｌｕｍｅ  ＩＤ４０２にＶｏｌｕｍｅ  ＩＤヘッダー４０３が付加されれば、Ｖｏｌｕｍｅ  ＩＤ４０２を読み出そうとする場合、Ｖｏｌｕｍｅ  ＩＤヘッダー４０３に記録される所定の値の情報を探し出し、Ｖｏｌｕｍｅ  ＩＤヘッダー４０３以後の１６バイトの情報がＶｏｌｕｍｅ  ＩＤ４０２であると判断することができる。本実施の形態においては、ＢＤ−ＭＶに対応した著作権保護技術のＶｏｌｕｍｅ  ＩＤ ４０２の位置はＢＤ−ＡＶに対応した著作権保護技術のＭｅｄｉａ  ＩＤ４０１の位置からの拘束を免れることができ、図４に示すようにＢＤ−ＡＶに対応した著作権保護技術のＭｅｄｉａ  ＩＤ４０１とＢＤ−ＭＶに対応した著作権保護技術のＶｏｌｕｍｅ  ＩＤ４０２とは、ＢＣＡ４のどの位置にも配置することができる。さらに、ＢＤ−ＭＶに対応した著作権保護技術のＶｏｌｕｍｅ  ＩＤ４０２を単独で読み出すことができるようにもなり、ＢＤ−ＡＶに対応した著作権保護技術のＭｅｄｉａ  ＩＤ４０１の存在の有無にも拠らず、ＢＤ−ＭＶに対応した著作権保護技術のＶｏｌｕｍｅ  ＩＤ４０２のみＢＣＡ４に記録することもできる。
【００７６】
実施の形態３．
図５は、安価なＤＶＤ−ＶＲ用途の光ディスクにＢＤ−ＡＶでコンテンツを記録し再生できるようにした光ディスクのＢＣＡ４の構成図である。本実施の形態では、図５に示すようにＤＶＤ−ＶＲ用途の光ディスクのＢＣＡ４にＤＶＤ−ＶＲに対応した著作権保護技術であるＣＰＲＭ方式のＭｅｄｉａ  ＩＤ４０４と共に、ＤＶＤ−ＶＲに対応した著作権保護技術であるＣＰＲＭ方式のＭｅｄｉａ  ＩＤ４０４よりもＢＣＡの読み出し順序において後位にＢＤ−ＡＶに対応した著作権保護技術であるＡＡＣＳ方式のＭｅｄｉａ  ＩＤ４０１をＤＶＤ−ＶＲのＢＣＡ４の規格に準拠して記録できる光ディスクを提供する。なお、ＤＶＤ−ＶＲに対応した著作権保護技術であるＣＰＲＭ方式のＭｅｄｉａ  ＩＤ４０４もＢＤ−ＡＶに対応した著作権保護技術であるＡＡＣＳ方式のＭｅｄｉａ  ＩＤ４０１と同じように、それ自身がＤＶＤ−ＶＲに対応した著作権保護技術のＭｅｄｉａ  ＩＤであることを示すヘッダーを有する。さらに、ＤＶＤ−ＶＲのレコーダとプレーヤとが共にそのＤＶＤ−ＶＲに対応した著作権保護技術のＭｅｄｉａ  ＩＤのヘッダーを認識してＣＰＲＭ方式にしたがったコンテンツの暗号化と復号化を実施する場合には、ＤＶＤ−ＶＲに対応した著作権保護技術であるＣＰＲＭ方式のＭｅｄｉａ  ＩＤ４０４とＢＤ−ＡＶに対応した著作権保護技術であるＡＡＣＳ方式のＭｅｄｉａ  ＩＤ４０１とがＢＣＡ４の中での位置関係に相関がないことは実施の形態２からも明らかである。
【００７７】
本実施の形態において、レコーダが光ディスク１にコンテンツを記録する場合、レコーダはＢＣＡ４から図５に示すＤＶＤ−ＶＲに対応した著作権保護技術であるＣＰＲＭ方式のＭｅｄｉａ  ＩＤ４０４とＢＤ−ＡＶに対応した著作権保護技術であるＡＡＣＳ方式のＭｅｄｉａ  ＩＤ４０１とから、これから記録しようとしているコンテンツ記録フォーマットに対応する著作保護技術のＭｅｄｉａ  ＩＤを選択してコンテンツや暗号鍵を暗号化し光ディスク１に記録する。
【００７８】
本実施の形態において、プレーヤが光ディスク１から暗号化されたコンテンツを再生する場合、プレーヤはＢＣＡ４から図５に示すＤＶＤ−ＶＲに対応した著作権保護技術であるＣＰＲＭ方式のＭｅｄｉａ  ＩＤ４０４とＢＤ−ＡＶに対応した著作権保護技術であるＡＡＣＳ方式のＭｅｄｉａ  ＩＤ４０１とを両方読み出し、次に記録されているファイルの形式やファイル名を確認して光ディスク１に記録されているコンテンツがＤＶＤ−ＶＲで記録されたものかあるいはＢＤ−ＡＶで記録されたものかを決定する。プレーヤは、決定されたコンテンツ記録フォーマットに対応した著作権保護技術のＭｅｄｉａ  ＩＤを選択してコンテンツを復号化し再生する。
【００７９】
本実施の形態において、ＤＶＤ−ＶＲのみに対応するレコーダが光ディスク１に対しＢＤ−ＡＶでコンテンツを記録するという選択がなされた場合、このレコーダは当然ながらコンテンツの記録はできない。また、ＤＶＤ−ＶＲのみに対応するプレーヤがＢＤ−ＡＶで記録された光ディスク１の再生を行おうとした場合、ファイルの形式やファイル名を確認する段階で再生が不可能であることが判明するため以後の動作は実行しない。したがって、光ディスク１は既存のＤＶＤ−ＶＲにおけるレコーダやプレーヤに対して、なんら悪影響を及ぼすものではない。
【００８０】
実施の形態４．
図６は、本発明の実施の形態４における、安価なＤＶＤ−ＶＲ用途の光ディスクにＢＤ−ＭＶでコンテンツを記録し再生できるようにした光ディスクのＢＣＡ４の構成図である。本実施の形態では、図６に示すようにＤＶＤ−ＶＲ用途の光ディスクのＢＣＡ４にＤＶＤ−ＶＲに対応した著作権保護技術であるＣＰＲＭ方式のＭｅｄｉａ  ＩＤ４０４に引き続きＢＤ−ＭＶに対応した著作権保護技術であるＡＡＣＳ方式のＶｏｌｕｍｅ  ＩＤ４０２をＤＶＤ−ＶＲのＢＣＡ４の規格に遵って記録する光ディスクを提供する。なお、ＤＶＤ−ＶＲに対応した著作権保護技術であるＣＰＲＭ方式のＭｅｄｉａ  ＩＤ４０４も、それ自身がＤＶＤ−ＶＲに対応した著作権保護技術であるＣＰＲＭ方式のＭｅｄｉａ  ＩＤであることを示すヘッダーを有し、かつ、ＤＶＤ−ＶＲのレコーダとプレーヤとが共にそのＤＶＤ−ＶＲに対応した著作権保護技術のＭｅｄｉａ  ＩＤのヘッダーを認識してＣＰＲＭ方式にしたがったコンテンツの暗号化と復号化を実施する。さらに、ＢＤ−ＭＶに対応した著作権保護技術であるＡＡＣＳ方式のＶｏｌｕｍｅ  ＩＤ４０２に実施の形態２で開示したＶｏｌｕｍｅ  ＩＤヘッダー４０３が付加されてＢＣＡ４に記録される場合には、ＤＶＤ−ＶＲに対応した著作権保護技術であるＣＰＲＭ方式のＭｅｄｉａ  ＩＤ４０４とＢＤ−ＭＶに対応の著作権保護技術であるＡＡＣＳ方式のＶｏｌｕｍｅ  ＩＤ４０２のＢＣＡ４の中での位置関係に相関がないことは自明である。
【００８１】
本実施の形態において、レコーダやプレーヤが光ディスク１に対しコンテンツを暗号化して記録したり、暗号化されたコンテンツを再生したりする動作は実施の形態３と同じようにして実現することができる。
【００８２】
実施の形態５．
ＤＶＤ−ＶＩＤＥＯに対応した著作権保護技術のＶｏｌｕｍｅ  ＩＤを実施の形態４に記載のＢＤ−ＭＶに対応した著作権保護技術のＶｏｌｕｍｅ  ＩＤと同じようにＤＶＤ−ＶＲ用途の光ディスクのＢＣＡ４にＤＶＤ−ＶＲに対応した著作権保護技術のＭｅｄｉａ  ＩＤと共に記録すると、１枚の光ディスクでＤＶＤ−ＶＲとＤＶＤ−ＶＩＤＥＯとの両方に対応した著作権保護機能を有した光ディスクを提供することができる。実施の形態２の例で示したように、Ｖｏｌｕｍｅ  ＩＤにヘダーを付加すればＤＶＤ−ＶＲに対応した著作権保護技術のＭｅｄｉａ  ＩＤとＤＶＤ−ＶＩＤＥＯに対応した著作権保護技術のＶｏｌｕｍｅ  ＩＤとは必ずしも連続している必要はない。
【００８３】
また、ＨＤＤＶＤ−ＶＩＤＥＯに対応した著作権保護技術のＶｏｌｕｍｅ  ＩＤを実施の形態４に記載のＢＤ−ＭＶに対応した著作権保護技術のＶｏｌｕｍｅ  ＩＤと同じようにＤＶＤ−ＶＲ用途の光ディスクのＢＣＡ４にＤＶＤ−ＶＲに対応した著作権保護技術のＭｅｄｉａ  ＩＤと共に記録すると、１枚の光ディスクでＤＶＤ−ＶＲとＨＤＤＶＤ−ＶＩＤＥＯとの両方に対応した著作権保護機能を有した光ディスクを提供することができる。実施の形態２の例で示したように、Ｖｏｌｕｍｅ  ＩＤにヘダーを付加すればＨＤＤＶＤ−ＶＩＤＥＯに対応した著作権保護技術のＭｅｄｉａ  ＩＤとＨＤＤＶＤ−ＶＩＤＥＯに対応した著作権保護技術のＶｏｌｕｍｅ  ＩＤとは必ずしも連続している必要はない。
【００８４】
さらに、ＨＤＤＶＤ−ＶＲに対応した著作権保護技術のＭｅｄｉａ  ＩＤを実施の形態３に記載のＢＤ−ＡＶに対応した著作権保護技術のＭｅｄｉａ  ＩＤと同じようにＤＶＤ−ＶＲ用途の光ディスクのＢＣＡ４にＤＶＤ−ＶＲに対応した著作権保護技術のＭｅｄｉａ  ＩＤと共に記録すると、１枚の光ディスクでＤＶＤ−ＶＲとＨＤＤＶＤ−ＶＲとの両方に対応した著作権保護機能を有した光ディスクを提供することができる。
【００８５】
今、安価なＤＶＤ−ＶＲ用途の光ディスクに、著作権保護機能を有して、異なった複数のコンテンツ記録フォーマットでコンテンツを記録および再生できる光ディスクを得ることを考えると、その組み合わせは次のようになる。
（ＤＶＤ−ＶＲ  ＆  ＤＶＤ−ＶＩＤＥＯ）、
（ＤＶＤ−ＶＲ  ＆  ＢＤ−ＡＶ）、
（ＤＶＤ−ＶＲ  ＆  ＢＤ−ＭＶ）、
（ＤＶＤ−ＶＲ  ＆  ＨＤＤＶＤ−ＶＲ）、
（ＤＶＤ−ＶＲ  ＆  ＨＤＤＶＤ−ＶＩＤＥＯ）、
（ＤＶＤ−ＶＲ  ＆  ＤＶＤ−ＶＩＤＥＯ  ＆  ＢＤ−ＡＶ）、
（ＤＶＤ−ＶＲ  ＆  ＤＶＤ−ＶＩＤＥＯ  ＆  ＢＤ−ＭＶ）、
（ＤＶＤ−ＶＲ  ＆  ＤＶＤ−ＶＩＤＥＯ  ＆  ＨDＤＶＤ−ＶＲ）、
（ＤＶＤ−ＶＲ  ＆  ＤＶＤ−ＶＩＤＥＯ  ＆  ＨＤＤＶＤ−ＶＩＤＥＯ）、
（ＤＶＤ−ＶＲ  ＆  ＢＤ−ＡＶ  ＆  ＢＤ−ＭＶ）、
（ＤＶＤ−ＶＲ  ＆  ＢＤ−ＡＶ  ＆  ＨＤＤＶＤ−ＶＲ）、
（ＤＶＤ−ＶＲ  ＆  ＢＤ−ＡＶ  ＆  ＨＤＤＶＤ−ＶＩＤＥＯ）、
（ＤＶＤ−ＶＲ  ＆  ＢＤ−ＭＶ  ＆  ＨＤＤＶＤ−ＶＲ）、
（ＤＶＤ−ＶＲ  ＆  ＢＤ−ＭＶ  ＆  ＨＤＤＶＤ−ＶＩＤＥＯ）、
（ＤＶＤ−ＶＲ  ＆  ＨＤＤＶＤ−ＶＲ  ＆  ＨＤＤＶＤ−ＶＩＤＥＯ）、
（ＤＶＤ−ＶＲ  ＆  ＤＶＤ−ＶＩＤＥＯ  ＆  ＢＤ−ＡＶ  ＆  ＢＤ−ＭＶ）、
（ＤＶＤ−ＶＲ  ＆  ＤＶＤ−ＶＩＤＥＯ  ＆  ＢＤ−ＡＶ  ＆  ＨＤＤＶＤ−ＶＲ）、
（ＤＶＤ−ＶＲ  ＆  ＤＶＤ−ＶＩＤＥＯ  ＆  ＢＤ−ＡＶ  ＆  ＨＤＤＶＤ−ＶＩＤＥＯ）、
（ＤＶＤ−ＶＲ  ＆  ＤＶＤ−ＶＩＤＥＯ  ＆  ＢＤ−ＭＶ  ＆  ＨＤＤＶＤ−ＶＲ）、
（ＤＶＤ−ＶＲ  ＆  ＤＶＤ−ＶＩＤＥＯ  ＆  ＢＤ−ＭＶ  ＆  ＨＤＤＶＤ−ＶＩＤＥＯ）、
（ＤＶＤ−ＶＲ  ＆  ＤＶＤ−ＲＯＭ  ＆  ＨDＤＶＤ−ＶＲ  ＆  ＨＤＤＶＤ−ＶＩＤＥＯ）、
（ＤＶＤ−ＶＲ  ＆  ＢＤ−ＡＶ  ＆  ＢＤ−ＭＶ  ＆  ＨＤＤＶＤ−ＶＲ）、
（ＤＶＤ−ＶＲ  ＆  ＢＤ−ＡＶ  ＆  ＢＤ−ＭＶ  ＆  ＨＤＤＶＤ−ＶＩＤＥＯ）、
（ＤＶＤ−ＶＲ  ＆  ＢＤ−ＭＶ  ＆ＨＤＤＶＤ−ＶＲ  ＆  ＨＤＤＶＤ−ＶＩＤＥＯ）、
（ＤＶＤ−ＶＲ  ＆  ＤＶＤ−ＶＩＤＥＯ  ＆  ＢＤ−ＡＶ  ＆  ＢＤ−ＭＶ  ＆  ＨＤＤＶＤ−ＶＲ）、
（ＤＶＤ−ＶＲ  ＆  ＤＶＤ−ＶＩＤＥＯ  ＆  ＢＤ−ＡＶ  ＆  ＢＤ−ＭＶ  ＆  ＨＤＤＶＤ−ＶＩＤＥＯ）、
（ＤＶＤ−ＶＲ  ＆  ＤＶＤ−ＶＩＤＥＯ  ＆  ＢＤ−ＭＶ  ＆  ＨＤＤＶＤ−ＶＲ  ＆  ＨＤＤＶＤ−ＶＩＤＥＯ）、
（ＤＶＤ−ＶＲ  ＆  ＢＤ−ＡＶ  ＆  ＢＤ−ＭＶ  ＆  ＨＤＤＶＤ−ＶＲ  ＆  ＨＤＤＶＤ−ＶＩＤＥＯ）
このうち、上から２番目の組み合わせは実施の形態３で例示した組み合わせであり、上から３番目の組み合わせは実施の形態４で例示した組み合わせである。
【００８６】
ＤＶＤ−ＶＲ用途の光ディスクのＢＣＡ４に記録される情報量の許す範囲で著作権保護用情報を記録させることにより、安価な１枚の光ディスクで複数のコンテンツ記録フォーマットに対応した光ディスクを供給することができる。
【００８７】
本発明の実施の形態５における光ディスクは、上記の組み合わせの上から１０番目のＤＶＤ−ＶＲ用途の光ディスクに対応したものであり、この光ディスクのＢＣＡ４の例を図７に示す。図７は、安価なＤＶＤ−ＶＲ用途の光ディスクにＢＤ−ＡＶでコンテンツを記録し再生できるようにし、かつ、ＢＤ−ＭＶでコンテンツを記録し再生できるようにした光ディスクのＢＣＡ４の構成図である。本実施の形態では、図７に示すようにＤＶＤ−ＶＲ用途の光ディスクのＢＣＡ４にＤＶＤ−ＶＲに対応した著作権保護技術であるＣＰＲＭ方式のＭｅｄｉａ  ＩＤ４０４と共に、ＤＶＤ−ＶＲに対応した著作権保護技術であるＣＰＲＭ方式のＭｅｄｉａ  ＩＤ４０４よりもＢＣＡの読み出し順序において後位にＢＤ−ＡＶに対応した著作権保護技術であるＡＡＣＳ方式のＭｅｄｉａ  ＩＤ４０１をＤＶＤ−ＶＲのＢＣＡ４の規格に準拠して記録し、ＢＤ−ＡＶに対応した著作権保護技術であるＡＡＣＳ方式のＭｅｄｉａ  ＩＤ４０１のさらに後位にＢＤ−ＭＶに対応した著作権保護技術であるＡＡＣＳ方式のＶｏｌｕｍｅ  ＩＤ４０２をＤＶＤ−ＶＲのＢＣＡ４の規格に準拠して記録できる光ディスクを提供する。なお、ＤＶＤ−ＶＲに対応した著作権保護技術であるＣＰＲＭ方式のＭｅｄｉａ  ＩＤ４０４もＢＤ−ＡＶに対応した著作権保護技術であるＡＡＣＳ方式のＭｅｄｉａ  ＩＤ４０１と同じように、それ自身がＤＶＤ−ＶＲに対応した著作権保護技術のＭｅｄｉａ  ＩＤであることを示すヘッダーを有し、かつ、ＤＶＤ−ＶＲのレコーダとプレーヤとが共にそのＤＶＤ−ＶＲに対応した著作権保護技術のＭｅｄｉａ  ＩＤのヘッダーを認識してＣＰＲＭ方式にしたがったコンテンツの暗号化と復号化を実施する。さらに、ＢＤ−ＭＶに対応した著作権保護技術であるＡＡＣＳ方式のＶｏｌｕｍｅ  ＩＤ４０２に実施の形態２で開示したＶｏｌｕｍｅ  ＩＤヘッダー４０３が付加されてＢＣＡ４に記録される場合には、ＤＶＤ−ＶＲに対応した著作権保護技術であるＣＰＲＭ方式のＭｅｄｉａ  ＩＤ４０４と、ＢＤ−ＡＶに対応した著作権保護技術であるＡＡＣＳ方式のＭｅｄｉａ  ＩＤ４０１と、ＢＤ−ＭＶに対応の著作権保護技術であるＡＡＣＳ方式のＶｏｌｕｍｅ  ＩＤ４０２のＢＣＡ４の中での位置関係に相関がないことは自明である。
【００８８】
本実施の形態において、レコーダが光ディスク１にコンテンツを記録する場合、レコーダはＢＣＡ４から図７に示すＤＶＤ−ＶＲに対応した著作権保護技術であるＣＰＲＭ方式のＭｅｄｉａ  ＩＤ４０４とＢＤ−ＡＶに対応した著作権保護技術であるＡＡＣＳ方式のＭｅｄｉａ  ＩＤ４０１とＢＤ−ＭＶに対応した著作権保護技術であるＡＡＣＳ方式のＶｏｌｕｍｅ  ＩＤ４０２とから、これから記録しようとしているコンテンツ記録フォーマットに対応する著作保護用情報を選択してコンテンツや暗号鍵を暗号化しの光ディスク１に記録する。
【００８９】
本実施の形態において、プレーヤが光ディスク１から暗号化されたコンテンツを再生する場合、プレーヤはＢＣＡ４から図７に示すＤＶＤ−ＶＲに対応した著作権保護技術であるＣＰＲＭ方式のＭｅｄｉａ  ＩＤ４０４とＢＤ−ＡＶに対応した著作権保護技術であるＡＡＣＳ方式のＭｅｄｉａ  ＩＤ４０１とＢＤ−ＭＶに対応した著作権保護技術であるＡＡＣＳ方式のＶｏｌｕｍｅ  ＩＤ４０２とを読み出し、次に記録されているファイルの形式やファイル名を確認して光ディスク１に記録されているコンテンツがＤＶＤ−ＶＲで記録されたものかあるいはＢＤ−ＡＶで記録されたものかあるいはＢＤ−ＭＶで記録されたものかを決定する。プレーヤは、決定されたコンテンツ記録フォーマットに対応した著作権保護用情報を選択してコンテンツを復号化し再生する。
【００９０】
本実施の形態において、ＤＶＤ−ＶＲのみに対応するレコーダが光ディスク１に対しＢＤ−ＡＶでコンテンツを記録するという選択またはＢＤ−ＭＶでコンテンツを記録するという選択がなされた場合、このレコーダは当然ながらコンテンツの記録はできない。また、ＤＶＤ−ＶＲのみに対応するプレーヤがＢＤ−ＡＶで記録された光ディスク１の再生を行おうとした場合またはＢＤ−ＭＶで記録された光ディスクの再生を行おうとした場合、ファイルの形式やファイル名を確認する段階で再生が不可能であることが判明するため以後の動作は実行しない。したがって、光ディスク１は既存のＤＶＤ−ＶＲにおけるレコーダやプレーヤに対して、なんら悪影響を及ぼすものではない。
【００９１】
また、ＤＶＤ−ＶＲの用途の光ディスク以外について考えてみると、下記のコンテンツ記録フォーマットの組み合わせも可能である。
【００９２】
（ＢＤ−ＡＶ  ＆  ＢＤ−ＭＶ）、
（ＢＤ−ＡＶ  ＆  ＨＤＤＶＤ−ＶＲ）、
（ＢＤ−ＡＶ  ＆  ＨＤＤＶＤ−ＶＩＤＥＯ）、
（ＢＤ−ＡＶ  ＆  ＢＤ−ＭＶ  ＆  ＨＤＤＶＤ−ＶＲ）、
（ＢＤ−ＡＶ  ＆  ＢＤ−ＭＶ  ＆  ＨＤＤＶＤ−ＶＩＤＥＯ）、
（ＢＤ−ＡＶ  ＆  ＨＤＤＶＤ−ＶＲ  ＆  ＨＤＤＶＤ−ＶＩＤＥＯ）、
（ＢＤ−ＡＶ  ＆  ＢＤ−ＭＶ  ＆  ＨＤＤＶＤ−ＶＲ  ＆  ＨＤＤＶＤ−ＶＩＤＥＯ）、
（ＨＤＤＶＤ−ＶＲ  ＆  ＢＤ−ＭＶ）、
（ＨＤＤＶＤ−ＶＲ  ＆  ＨＤＤＶＤ−ＶＩＤＥＯ）、
（ＨＤＤＶＤ−ＶＲ  ＆  ＢＤ−ＭＶ  ＆  ＨＤＤＶＤ−ＶＩＤＥＯ）
このうち、一番上の組み合わせは実施の形態１の光ディスクである。
【００９３】
実施の形態６．
この発明の実施の形態６においては、一般のユーザが著作権を主張しないコンテンツを、ＢＤ−ＭＶやＤＶＤ−ＶＩＤＥＯやＨＤＤＶＤ−ＶＩＤＥＯのように再生専用型規格のコンテンツ記録フォーマットで記録および再生できる光ディスクを得るものである。
【００９４】
まず、ＢＤ−ＭＶの場合について説明する。図２、３、６および７のＢＣＡ４中のＶｏｌｕｍｅ  ＩＤ４０２が記録される領域に、Ｖｏｌｕｍｅ  ＩＤ４０２に等しい情報量であらかじめ公開されている情報（以降、統一情報と記載する）を記録した光ディスク１をＢＤ−ＭＶでコンテンツを記録したいユーザに販売する。ＢＤ−ＭＶでコンテンツを記録したいユーザは、実施の形態１で説明した小売店で使用しているＢＤ−ＭＶ用途のレコーダと同じレコーダを用いて、図２、３、６および７のＢＣＡ４中のＶｏｌｕｍｅ  ＩＤ４０２が記録される領域に記録されている統一情報を読み出し、この統一情報を基に暗号鍵を加工した情報を、暗号鍵により暗号化したコンテンツと、著作権保護技術の使用許諾情報と、共に光ディスク１に記録する。統一情報を用いて光ディスク１のコンテンツ記録領域６に記録されたコンテンツを再生する場合には、実施の形態１で説明したＢＤ−ＭＶ用途のプレーヤと同じプレーヤで、光ディスク１のＢＣＡ４中のＶｏｌｕｍｅ  ＩＤ４０２が記録される領域から統一情報を読み出し、この統一情報を基に暗号鍵を加工した情報から暗号鍵を復元することができる。復元された暗号鍵と光ディスク１のリードイン領域５に記録された著作権保護技術の使用許諾情報とを用いて、光ディスク１のコンテンツ記録領域６に暗号化されて記録されたコンテンツは復号化され、コンテンツの再生が可能になる。
【００９５】
一度ＢＤ−ＭＶで光ディスク１に記録された情報を他の光ディスクに複製する場合を考える。ＢＤ−ＭＶで記録された光ディスク１の暗号化されたコンテンツと暗号鍵を加工した情報と著作権保護技術の使用許諾情報とは複製を試みる他の光ディスクに複製されるが、ＢＣＡ４中のＶｏｌｕｍｅ  ＩＤ４０２が記録される領域の統一情報は複製されない。しかし、記録済光ディスク１と複製を試みた光ディスクとはＢＣＡ４中のＶｏｌｕｍｅ  ＩＤ４０２の領域に記録されている情報がどちらも統一情報で同じであるから、複製を試みた光ディスクを実施の形態１で説明したＢＤ−ＭＶ用途のプレーヤと同じプレーヤで再生した場合、暗号鍵を加工した情報から暗号鍵が復元でき、コンテンツの復号が可能となる。このように、ＢＣＡ４中のＶｏｌｕｍｅ  ＩＤ４０２の領域に統一情報を記録した光ディスクにおいては、ＢＤ−ＭＶでのコンテンツの記録および再生または複製が可能になる。
【００９６】
図２、３、６および７では、ＢＤ−ＭＶのＶｏｌｕｍｅ  ＩＤがＢＤ−ＡＶやＤＶＤ−ＶＲのＭｅｄｉａ  ＩＤと共にＢＣＡ４に記録される場合を想定しているが、実施の形態２や実施の形態３に示すように、Ｖｏｌｕｍｅ  ＩＤ４０２にＶｏｌｕｍｅ  ＩＤヘッダー４０３が付加されて光ディスク１のＢＣＡ４に記録される場合には、ＢＤ−ＭＶ単独で統一情報をＢＣＡ４のＶｏｌｕｍｅ  ＩＤ４０２の領域に記録してもＢＤ−ＭＶでのコンテンツの記録および再生または複製が可能になる。
【００９７】
次に、ＤＶＤ−ＶＩＤＥＯとＨＤＤＶＤ−ＶＩＤＥＯの場合を考える。表１に示したようにＤＶＤ−ＶＩＤＥＯとＨＤＤＶＤ−ＶＩＤＥＯのいずれにもＶｏｌｕｍｅ  ＩＤが存在している。これらのＶｏｌｕｍｅ  ＩＤと等しい情報量であらかじめ公開されている情報、即ち、統一情報を光ディスク１のＢＣＡ４中のＶｏｌｕｍｅ  ＩＤ４０２が記録される領域に記録することにより、ＤＶＤ−ＶＩＤＥＯまたはＨＤＤＶＤ−ＶＩＤＥＯでのコンテンツの記録および再生または複製が可能になる。
【図面の簡単な説明】
【００９８】
【図１】光ディスクの平面構成図である。
【図２】この発明の実施の形態１における光ディスクの著作権保護用情報の構成図である。
【図３】この発明の実施の形態２における光ディスクの著作権保護用情報の構成図である。
【図４】この発明の実施の形態２における光ディスクの著作権保護用情報の構成図である。
【図５】この発明の実施の形態３における光ディスクの著作権保護用情報の構成図である。
【図６】この発明の実施の形態４における光ディスクの著作権保護用情報の構成図である。
【図７】この発明の実施の形態５における光ディスクの著作権保護用情報の構成図である。
【符号の説明】
【００９９】
１  光ディスク
２  中心穴
３  クランプ領域
４  ＢＣＡ
５  リードイン領域
６  コンテンツ記録領域
７  コンテンツ未記録領域
８  コンテンツ記録用領域
９  情報を読み出す方向
４０１  ＢＤ−ＡＶに対応する著作権保護技術のＭｅｄｉａ  ＩＤ
４０２  ＢＤ−ＭＶに対応する著作権保護技術のＶｏｌｕｍｅ  ＩＤ
４０３  ＢＤ−ＭＶに対応する著作権保護技術のＶｏｌｕｍｅ  ＩＤヘッダー
４０４  ＤＶＤ−ＶＲに対応する著作権保護技術のＭｅｄｉａ  ＩＤ
【図１】
2008034002.tif 000004
【図２】
2008034002.tif 000005
【図３】
2008034002.tif 000006
【図４】
2008034002.tif 000007
【図５】
2008034002.tif 000008
【図６】
2008034002.tif 000009
【図７】
2008034002.tif 000010